【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
遊技媒体を遊技領域に発射することにより遊技者が遊技を行い、予め定められた始動条件の成立に応じて複数種類の識別情報を変動表示させる変動表示手段を備え、該変動表示手段に表示結果を導出することで遊技の結果を確定し、遊技の結果が特定遊技結果となったときに遊技者にとって有利な特定遊技状態に制御する遊技機であって、
前記変動表示について特定遊技結果とするか否かを、該変動表示の表示結果が導出されるよりも前に決定する特定決定手段と、
前記変動表示手段において識別情報を変動表示させ、前記特定決定手段の決定結果に応じた表示結果を導出させる変動表示演出を実行する変動表示実行手段と、
前記複数種類の識別情報とは異なる複数種類の普通識別情報を変動表示させる普通変動表示手段と、
前記普通変動表示手段の表示結果が特定結果となったときに遊技媒体が入賞し易い有利状態に変化し、該入賞に応じて前記始動条件を成立させる可変入賞手段と、
前記普通変動表示手段の表示結果が特定結果となるときに、該表示結果が導出させる以前に特定演出を所定の割合で実行する特定演出実行手段と、
前記可変入賞手段に入賞があったときに、該入賞が前記特定演出が実行された後に前記普通変動表示手段の表示結果が特定結果となって前記可変入賞手段が有利状態に変化したときの入賞である特定入賞か否かを判定する入賞判定手段と、を備え、
前記変動表示実行手段は、前記入賞判定手段により特定入賞であると判定されたときに、該特定入賞による始動条件の成立に応じて実行される変動表示演出を、該特定入賞以外の始動条件の成立に応じて実行されるときと異なる態様で実行することを特徴とする遊技機。
【手続補正２】
【補正対象書類名】明細書
【補正対象項目名】０００８
【補正方法】変更
【補正の内容】
【０００８】
まず手段１に係る発明は、
遊技媒体（遊技球）を遊技領域に発射することにより遊技者が遊技を行い、予め定められた始動条件の成立（普通入賞球装置６Ａに形成された第１始動入賞口を通過した遊技球が第１始動口スイッチ２２Ａによって検出され、第１特図保留記憶数が所定の上限値以下であること，又は普通可変入賞球装置６Ｂに形成された第２始動入賞口を通過した遊技球が第２始動口スイッチ２２Ｂによって検出され、第２特図保留記憶数が所定の上限値以下であること）に応じて複数種類の識別情報（特別図柄，飾り図柄）を変動表示させる変動表示手段（第１特別図柄表示装置４Ａ，第２特別図柄表示装置４Ｂ，画像表示装置５）を備え、該変動表示手段に表示結果を導出することで遊技の結果を確定し、遊技の結果が特定遊技結果（大当り図柄，小当り図柄）となったときに遊技者にとって有利な特定遊技状態（大当り遊技状態，小当り遊技状態）に制御する遊技機（パチンコ遊技機１）であって、
前記変動表示について特定遊技結果とするか否かを、該変動表示の表示結果が導出されるよりも前に決定する特定決定手段（ステップＳ１１０の特別図柄通常処理を行う主基板１１のＣＰＵ１０３）と、
前記変動表示手段において識別情報を変動表示させ、前記特定決定手段の決定結果に応じた表示結果を導出させる変動表示演出を実行する変動表示実行手段（ステップＳ１１２の特別図柄変動処理とステップＳ１１３の特別図柄停止処理を行う主基板１１のＣＰＵ１０３，ステップＳ１７２の可変表示中演出処理を行う演出制御基板１２の演出制御用ＣＰＵ１２０）と、
前記複数種類の識別情報とは異なる複数種類の普通識別情報（普通図柄）を変動表示させる普通変動表示手段（普通図柄表示器２０）と、
前記普通変動表示手段の表示結果が特定結果（普図当り図柄）となったときに遊技媒体が入賞し易い有利状態（電動チューリップの可動翼片が傾動位置となる）に変化し、該入賞に応じて前記始動条件を成立させる可変入賞手段（普通可変入賞球装置６Ｂ）と、
前記普通変動表示手段の表示結果が特定結果となるときに、該表示結果が導出させる以前に特定演出（普図当り報知）を所定の割合で実行する特定演出実行手段（画像表示装置５の普図連動演出実行エリア５Ｆに普図連動演出パターンＡ「○」を表示させるステップＳ６０８の処理を行う演出制御基板１２の演出制御用ＣＰＵ１２０）と、
前記可変入賞手段に入賞があったときに、該入賞が前記特定演出が実行された後に前記普通変動表示手段の表示結果が特定結果となって前記可変入賞手段が有利状態に変化したときの入賞である特定入賞か否かを判定する入賞判定手段（普図当り報知開始のｔ１経過後から普図当り報知終了までの間であるか否かを判定する演出制御基板１２の演出制御用ＣＰＵ１２０）と、を備え、
前記変動表示実行手段（演出制御基板１２の演出制御用ＣＰＵ１２０）は、前記入賞判定手段により特定入賞であると判定されたときに、該特定入賞による始動条件の成立に応じて実行される変動表示演出を、該特定入賞以外の始動条件の成立に応じて実行されるときと異なる態様（Ｄ０６）で実行することを特徴とする遊技機である。
【手続補正３】
【補正対象書類名】明細書
【補正対象項目名】００１０
【補正方法】変更
【補正の内容】
【００１０】
また手段３に係る発明は、
遊技媒体（遊技球）を遊技領域に発射することにより遊技者が遊技を行い、予め定められた始動条件の成立（普通入賞球装置６Ａに形成された第１始動入賞口を通過した遊技球が第１始動口スイッチ２２Ａによって検出され、第１特図保留記憶数が所定の上限値以下であること，又は普通可変入賞球装置６Ｂに形成された第２始動入賞口を通過した遊技球が第２始動口スイッチ２２Ｂによって検出され、第２特図保留記憶数が所定の上限値以下であること）に応じて複数種類の識別情報（特別図柄，飾り図柄）を変動表示させる変動表示手段（第１特別図柄表示装置４Ａ，第２特別図柄表示装置４Ｂ，画像表示装置５）を備え、該変動表示手段に表示結果を導出することで遊技の結果を確定し、遊技の結果が特定遊技結果（大当り図柄，小当り図柄）となったときに遊技者にとって有利な特定遊技状態（大当り遊技状態，小当り遊技状態）に制御する遊技機（パチンコ遊技機１）であって、
前記変動表示について特定遊技結果とするか否かを、該変動表示の表示結果が導出されるよりも前に決定する特定決定手段（ステップＳ１１０の特別図柄通常処理を行う主基板１１のＣＰＵ１０３）と、
前記変動表示手段において識別情報を変動表示させ、前記特定決定手段の決定結果に応じた表示結果を導出させる変動表示演出を実行する変動表示実行手段（ステップＳ１１２の特別図柄変動処理とステップＳ１１３の特別図柄停止処理を行う主基板１１のＣＰＵ１０３，ステップＳ１７２の可変表示中演出処理を行う演出制御基板１２の演出制御用ＣＰＵ１２０）と、
前記変動表示演出において前記特定遊技結果となることを予告する予告演出を実行する予告演出実行手段（演出制御基板１２の演出制御用ＣＰＵ１２０）と、
前記複数種類の識別情報とは異なる複数種類の普通識別情報（普通図柄）を変動表示させる動表示手段（普通図柄表示器２０）と、
前記普通変動表示手段の表示結果が特定結果（普図当り図柄）となったときに遊技媒体が入賞し易い有利状態（電動チューリップの可動翼片が傾動位置となる）に変化し、該入賞に応じて前記始動条件を成立させる可変入賞手段（普通可変入賞球装置６Ｂ）と、
前記普通変動表示手段の表示結果が特定結果となるときに、該表示結果が導出させる以前に特定演出（普図当り報知）を所定の割合で実行する特定演出実行手段（画像表示装置５の普図連動演出実行エリア５Ｆに普図連動演出パターンＡ「○」を表示させるステップＳ６０８の処理を行う演出制御基板１２の演出制御用ＣＰＵ１２０）と、
前記可変入賞手段に入賞があったときに、該入賞が前記特定演出が実行された後に前記普通変動表示手段の表示結果が特定結果となって前記可変入賞手段が有利状態に変化したときの入賞である特定入賞か否かを判定する入賞判定手段（普図当り報知開始のｔ１経過後から普図当り報知終了までの間であるか否かを判定する演出制御基板１２の演出制御用ＣＰＵ１２０）と、を備え、
前記予告演出実行手段は、前記入賞判定手段により特定入賞であると判定されたときに、該特定入賞による始動条件の成立に応じて実行される変動表示演出において、該特定入賞以外の始動条件の成立に応じて実行される変動表示演出と異なる割合で、前記予告演出を実行することを特徴とする遊技機である。
【手続補正４】
【補正対象書類名】明細書
【補正対象項目名】００１１
【補正方法】変更
【補正の内容】
【００１１】
また手段４に係る発明は、
手段３に記載した遊技機（パチンコ遊技機１）であって、
前記変動表示実行手段（主基板１１のＣＰＵ１０３，演出制御基板１２の演出制御用ＣＰＵ１２０）は、前記変動表示の実行時間を決定する時間決定手段（ステップＳ１１１の変動パターン設定処理，ステップＳ１７１の可変表示中演出設定処理）を含み、
前記予告演出実行手段（演出制御基板１２の演出制御用ＣＰＵ１２０）は、前記変動表示演出が前記特定入賞による始動条件の成立に応じて実行されるときと前記特定入賞以外の始動条件の成立に応じて実行されるときとで前記時間決定手段に決定された実行時間が同一の時間であっても、前記予告演出を異なる割合で実行することを特徴とする遊技機である。